(57)【要約】【課題】本考案は土木工事におけるボーリング孔の深度を測定する検尺作業を合理化して作業時間の短縮による省力化と測定の精度を向上させる。【解決手段】一定間隔のピッチに穿孔された検尺テープ１をリール７に巻き取り、一端を同一のピッチを持ったピンチローラ２に噛み合わせ、さらに送水管８及び漏水管９内のパッキン９ｂを通して送水管に引き出しその先端にの牽引子を取り付けこれをボーリング管内に挿入する。  またピンチローラと同軸に回転計数器を取り付け、送水管から圧力水を注入して牽引子を検尺テープを牽引しながら管底まで押し下げ、ピンチローラに接続された回転計数器を駆動し、その目盛から検尺テープの走行距離すなわちボーリング孔の深度を測定する。【選択図】図１
0003136143.tif 000002
【実用新案登録請求の範囲】
【請求項１】
一定間隔のピッチに穿孔された薄い帯状の検尺テープをリールに巻き取り、巻き出しの一端を、検尺テープと同一のピッチを持ったピンチローラに噛み合わせ、パッキンを通して送水管内に取り出し、先端に海綿状の紡錘形の牽引子を取り付ける。
ピンチローラを回転計数器の回転軸に取り付け、検尺テープの孔ピッチとピンチローラの突起数とを、検尺テープの走行距離が回転計数器の目盛に表示されるよう設定したことを特徴とするボーリング孔検尺器。
【請求項２】
リールに巻かれた巻尺テープを、上端にパッキンを嵌め込んだ透明な円管で作られた読取管を通して読取管の下に接続された送水管に導き、巻尺テープの先端に海綿体（スポンジ）で作られた紡錘形の牽引子を取り付けたことを特徴とする請求項１記載のボーリング孔検尺器。
【考案の詳細な説明】
【技術分野】
【０００１】  本考案は、土木工事におけるボーリング孔の深度測定（検尺）に関するものである。
【背景技術】
【０００２】  従来、土木工事におけるボーリングは一定長のボーリング管の先端に刃を取り付け、これを回転しながら掘り進み、管長が足りなくなれば次の管をネジ接続して連結延長して所定の深さまで掘り進むようになっていて、検査員による孔の深度測定には穿孔に使用したボーリング管を引き抜き、その本数と管長を乗算して深度を測定しているのが現状である。
【考案の開示】
【考案が解決しようとする課題】
【０００３】  ボーリングの深さは３０ｍから１００ｍを超えることもあり、従来の深度測定では、検査員は引き抜かれた管の本数確認と、深度確認のため長時間の立会いが必要であった。
また、検尺した深度が設計値に達しない場合は、再度ボーリング管を埋めなおして作業を続けなければならず、さらに長時間の作業が必要であった。【０００４】  本考案は、これらの作業時間を短縮し、精密な検尺を行うことにより、作業能率を向上して前述の欠点を解決しようとするものである。
【課題を解決するための手段】
【０００５】  第一の手段は、一定間隔のピッチに穿孔された薄い帯状の検尺テープをリールに巻き取り、一端を同一のピッチを持ったピンチローラに噛み合わせ、パッキンを通して送水管内に取り出し、先端に発泡ウレタン等で作られた海綿状の紡錘形の牽引子を取り付けこれをボーリング管内に挿入する。
またピンチローラを回転計数器の回転軸に取り付け、送水管の上部から圧力水（水道水程度）を送入して牽引子を検尺テープを牽引しながら管底まで押し下げれば検尺テープはこれと噛み合うピンチローラ回転させ、回転計数器を駆動し、その目盛を読んで検尺テープの走行距離すなわちボーリング孔の深度を測定するものである。【０００６】  第２の手段は、さらに構造を単純にしたもので、リールに巻かれた巻尺テープを上端にパッキンを嵌め込んだ透明な円管で作られた読取管を通して読取管の下に接続された送水管に導き、巻尺テープの先端に海綿体（スポンジ）で作られた紡錘形の牽引子を取り付け、送水管上部から圧力水（水道水程度）を送入して牽引子を検尺テープを牽引しながら管底まで押し下げ、水で満たされた読取管の中の巻尺テープの目盛を読んで深度を測定する
水で満たされた読取管の中の巻尺テープは水レンズの作用により目盛は拡大されて読み取りを容易にするものである。
【考案の効果】
【０００７】  上述のように、本考案の検尺器は検尺のためにボーリング管を引き抜くことなく短時間で、また簡単な操作で正確な深度測定と確認が出来るため、工事及び作業効率を向上させ工事の合理化による効果がある。
【考案を実施するための最良の形態】
【０００８】  以下、本考案の実施の形態を実施例に基づき図１〜図５により説明する。
【実施例１】
【０００９】  図１に示すように、一定間隔のピッチで穿孔された金属の薄く細長い検尺テープ１をリール７に巻き取り、リールを蓋付の立方体の筐体１２に回転自在に取り付け、リール軸に蓋を通して巻上ハンドル６を着脱可能に装着する。【００１０】  検尺テープの一端をテンションローラ５を経由して、円周上に検尺テープと同じピッチの突起を持ち筐体に回転自在に取り付けられたピンチローラ２に噛み合い係合させ、検尺テープがピンチローラから外れるのを防止するため、検尺テープを挟んで押さえ板３をピンチローラの外周にスプリングにより軽く圧接させる。【００１１】  筐体の下部に送水管８を取り付け、送水管の上部に漏水管９接続しその上下にパッキン９ｂを嵌め込み、検尺テープを漏水管の中をパッキンを通して引き出し、その先端に発泡ウレタン等の海綿体で作られた紡錘形の牽引子１１を取り付け、送水管の下に取り付けられたカプラ１０で接続されたボーリング管Ａに挿入する。
送水管の中間に分岐して注水口８ａを取り付け、また送水管の下部に分岐して排水口９ａを設ける。【００１２】  検尺テープの孔ピッチとピンチローラの突起数とを、検尺テープの走行距離が回転計数器の目盛に表示されるよう設定し、回転計数器の指示目盛が検尺テープの走行距離すなわち深度を表示するようにする。【００１３】  次にその作用について説明すると、最初に巻上ハンドルを回して牽引子を測定基点まで引き上げ、回転計数器の指示を０に合わせ、注入口から圧力水を注入する。
牽引子は水圧に押されてボーリング管内を下降すると、これに牽引されて検尺テープは走行してピンチローラを回転し同軸に取り付けられた回転計数器を駆動し、牽引子がボーリング管の底に達して停止するので，その時の回転計数器の目盛を読んで深度を計測する
また、パッキンを漏れて漏水管内に侵入した水は排水口から排出される。
【実施例２】
【００１４】  図４、及び図５に示すように、側面に窓１５ａを設けた筐体１５に、回転可能に取り付けられ、巻上ハンドル６を着脱可能に装着したリール７に巻かれた巻尺テープ１３の巻き出し部を、上端にパッキン１４ａを嵌め込み、溢水口１４ｃ及びテープガイド１４ｂを設けた透明な円管状の読取管１４を通して読取管の下に接続された送水管８に導き、巻尺テープの先端に海綿体（スポンジ）で作られた紡錘形の牽引子１１を取り付け、カプラ１０で接続されたボーリング管Ａ内に挿入する。【００１５】  前述の実施例１と同様に、送水管上部から圧力水（水道水程度）を注入して牽引子を巻尺テープを牽引しながら管底まで押し下げ、窓から水で満たされた読取管の中にある巻尺テープの目盛を直接読んで深度を測定する。
【図面の簡単な説明】
【００１６】
【図１】本考案のボーリング孔検尺器の正面図
【図２】検尺テープの詳細図
【図３】検尺器を使用した関係説明図
【図４】実施例２のボーリング孔検尺器の正面図
【図５】実施例２のボーリング孔検尺器の側面図
【符号の説明】
１  検尺テープ      ２  ピンチローラ      ３  押さえ板      ４  回転計数器
５  テンションローラ      ６  巻上ハンドル      ７  リール      ８  送水管
９  漏水管      １０  カプラ      １１  牽引子      １２  筐体
１３  巻尺テープ      １４  読取管      １５  窓付筐体
【図１】
0003136143.tif 000003
【図２】
0003136143.tif 000004
【図３】
0003136143.tif 000005
【図４】
0003136143.tif 000006
【図５】
0003136143.tif 000007
【手続補正書】
【提出日】平成19年7月14日(2007.7.14)
【手続補正１】
【補正対象書類名】実用新案登録請求の範囲
【補正対象項目名】全文
【補正方法】変更
【補正の内容】
【実用新案登録請求の範囲】
【請求項１】
（１）一定間隔のピッチに穿孔された薄い帯状の検尺テープをリールに巻き取り、巻き出しの一端を、検尺テープと同一のピッチを持ったピンチローラに噛み合わせ、パッキンを通して送水管内に取り出し、先端に海綿状の紡錘形の牽引子を取り付け、またピンチローラを回転計数器の回転軸に取り付ける、
（２）検尺テープの孔ピッチとピンチローラの突起数とを、検尺テープの走行距離が回転計数器の目盛に表示されるよう算出設定する、
以上により構成されたことを特徴とするボーリング孔検尺器。
【請求項２】
リールに巻かれた巻尺テープを、上端にパッキンを嵌め込んだ透明な円管で作られた読取管を通して読取管の下に接続された送水管に導き、巻尺テープの先端に海綿体で作られた紡錘形の牽引子を取り付けたことを特徴とする請求項１記載のボーリング孔検尺器。